【事件の表示】
　平成　４年特許願第２７９２２７号「直交振幅変調器」拒絶査定に対する審判事件［平成　６年　４月２２日出願公開、特開平　６−１１２９８６］について、次のとおり審決する。
【結　論】
　本件審判の請求は、成り立たない。
【理　由】
　１．手続の経緯・本願発明
　本願は、平成４年９月２５の出願であって、その請求項１に係る発明（以下、「本願発明」という。）は、明細書及び図面の記載からみて、その特許請求の範囲の請求項１に記載された次の事項により特定されるものと認める。
　
　【請求項１】
　「位相増加データを加算するアキュムレータと、このアキュム
レータの出力の位相を振幅値に変換するための正弦波波形テーブルを記録した読み出し専用メモリと、位相・振幅データをアナログ振幅に変換するＤ／Ａ変換器と、異なる位相・振幅の前記Ｄ／Ａ変換器の入力データを切り換えるマルチプレクサーを備えることを特徴とする直交振幅変調器。」
　
　２．引用例記載の発明
　（１）これに対して、原審の拒絶理由において引用された特開平１−９７０３９号公報（平成１年４月１４日公開、以下、「引用例１」という。）には、下記ア．イ．の事項が記載されている。
　
　ア．「［発明が解決しようとする問題点］
　従来の８相ＰＳＫ回路は以上のように構成されているので、移相記器により４５゜、９０゜、１３５゜、１８０゜、２２５゜、２７０゜、３１５゜搬送波信号を作成するため、８相ＰＳＫ変調信号の搬送波位相を正確に設定することが困難であり、また、各搬送波信号をスイッチにより切替えるため、切替時に発生する信号の重複および不連続が生じるなどの問題があった。
　この発明は上記のような問題点を解消するためになされたもので、８相ＰＳＫ変調信号の各搬送波信号の位相差を正確に４５゜、９０゜、１３５゜、１８０゜、２２５゜、２７０゜、３１５゜に保持するとともに、搬送波信号切替時点での信号の重複および不連続をなくす８相ＰＳＫ変調回路を得ることを目的とする。
　［問題点を解決するための手段］
　この発明による４相ＰＳＫ変調回路は、８相ＰＳＫ変調信号である８種の位相の搬送波を８つのＲＯＭで発生させ、ＰＣＭ入力信号によりＲＯＭを選択（搬送波を選択）し、Ｄ／Ａ変換器によりアナログ信号に変換したものである。」（２頁左下欄１４〜右下欄１５行）、
  イ．「［実施例］
　以下、この発明の一実施例について説明する。第１図において（１）はＰＳＫ搬送波周波数の２Ｍ　倍のＰＳＫ搬送波用クロック信号、（２）はＭビットカウンタ、（３）はＭビットカウンタ（２）が出力するアドレス信号、（４）は正弦波１周期分を時間軸で２Ｍ分割し、振幅を量子化数Ｎビットで表したデータを記憶させたチップセレクト（ｃｓ）端子を持つＲＯＭ、（５）、（６）、（７）、（８）、（９）、（１０）、（１１）は（４）で記憶させた正弦波に対しそれぞれ４５゜、９０゜、１３５゜、１８０゜、２２５゜、２７０゜、３１５゜の位相遅れをもつ正弦波１周期分を（４）と同一要領で（４）と同一アドレスに記憶させたチップセレクト端子を有するＲＯＭ、（１２）、（１３）および（１４）はＰＣＭ入力信号、（１５）はＰＣＭ入力信号（１２）、（１３）および（１４）の組合せにより対応する１ビットを出力するデコーダ、（２４）はデコードされたＰＣＭ入力信号（１６）、（１７）、（１８）、（１９）、（２０）、（２１）、（２２）、（２３）により選択されたＲＯＭの出力データ、（２５）は量子化数Ｎビットの正負出力およびアウトプット・イネーブル（ＯＥ）端子を持つＤ／Ａ変換回路、（２６）は８相ＰＳＫ出力信号をイネーブルさせるためのイネーブル信号、（２１）は８相ＰＳＫ出力信号である。
　第１図において、ＰＳＫ搬送波用クロック信号（１）は、カウンタ（２）により２Ｍ分周され、ＲＯＭ（４）、（５）、（６）、（７）、（８）、（９）、（１０）、（１１）のアドレス信号（３）になる。ＲＯＭ（４）は第２図に示すように搬送波用正弦波１周期分が記憶されていてＲＯＭ（５）はＲＯＭ（４）に記憶されている正弦波より４５゜遅れた位相で搬送波用正弦波１周期分が記憶されている。同様にＲＯＭ（６）にはＲＯＭ（４）より９０゜遅れた位相で、ＲＯＭ（７）にはＲＯＭ（４）より１３５゜遅れた位相で、ＲＯＭ（８）にはＲＯＭ（４）より１８０゜遅れた位相で、ＲＯＭ（９）にはＲＯＭ（４）より２２５゜遅れた位相で、ＲＯＭ（１０）にはＲＯＭ（４）より２７０゜遅れた位相で、ＲＯＭ（１１）にはＲＯＭ（４）より３１５゜遅れた位相でそれぞれ搬送波用正弦波１周期分が記憶されている。各ＲＯＭともアドレスを正弦波の時間軸とし、１アドレスは３６０゜／２Ｍに相当している。−−−
　ＰＣＭ入力信号（１２）、（１３）および（１４）はデータの組合せによりデコーダ（１５）によって、その組み合せに対応したＲＯＭが選択される。たとえば、ＰＣＭ入力信号（１２）、（１３）、（１４）の組合せが（１，１，１）のときＲＯＭ（４）が選択される−−−ＲＯＭは、同一アドレスに位相が４５゜の整数倍異なった正弦波のデータが記憶されているため、ＰＣＭ入力信号（１２）、（１３）、（１４）の組み合せにより、その組み合せに対応した位相をもった搬送波が選択されることになる。」（３頁左上欄５〜左下欄１７行）。
                 
　
　前記記載事項及び図面の記載を勘案すると、
　引用例１には、
　「ＰＳＫ搬送波用クロック信号（１）を２Ｍ分周するカウンタ（２）と、このカウンタの出力の位相を振幅値に変換するための正弦波波形を記録したＲＯＭ（４）、（５）、（６）、（７）、（８）、（９）、（１０）、（１１）と、搬送波の位相に対応する搬送波を表すデータをアナログ振幅に変換するＤ／Ａ変換回路（２５）と、異なる搬送波の位相の搬送波を表す、前記Ｄ／Ａ変換器の、入力データを切り換える各ＲＯＭのチップセレクト端子を備える８相ＰＳＫ変調器。」
を構成とする発明（以下、「引用例１に記載された発明」という。）が記載されているものと認める。
　
　３．対比・判断
　本願発明と引用例１に記載された発明を対比すると、本願発明の「アキュムレータ」と、クロック信号の１クロックあたり３６０゜／２Ｍに相当する位相を増加する、引用例１に記載された発明の「カウンタ」は、「位相を増加する手段」である。
　また、引用例１に記載された発明の「ＲＯＭ」は、本願発明の「読み出し専用メモリ」に相当する。　
　本願発明の「位相・振幅データ」と、引用例１に記載された発明の「搬送波の位相に対応する搬送波を表すデータ」は、「搬送波の位相に関係する搬送波を表すデータ」である。
　引用例１に記載のされた発明の「Ｄ／Ａ変換回路」は、本願発明の「Ｄ／Ａ変換器」に相当する。
　してみると、両者は、
　「位相増加する手段と、この位相を増加する手段の出力の位相を振幅値に変換するための正弦波波形テーブルを記録した読み出し専用メモリと、搬送波の位相に関係する搬送波を表すデータをアナログ振幅に変換するＤ／Ａ変換器と、異なる搬送波の位相に関係する搬送波を表す、前記Ｄ／Ａ変換器の、入力データを切り換える手段を備える変調器。」である点で一致し、
　
　次の（１）〜（４）の点で相違する。
　（１）「位相を増加する手段」が本願発明では「位相増加データを加算するアキュムレータ」であるのに対して、引用例１に記載された発明では、「ＰＳＫ搬送波用クロック信号（１）を２Ｍ分周するカウンタ」である点、
　（２）「搬送波の位相に関係する搬送波を表すデータ」、「異なる搬送波の位相に関係する搬送波を表す、前記Ｄ／Ａ変換器の、入力データ」について、各々、本願発明では「位相・振幅データ」、「異なる位相・振幅の前記Ｄ／Ａ変換器の入力データ」であるのに対して、引用例１に記載された発明では、「搬送波の位相に対応する搬送波を表すデータ」、「異なる搬送波の位相の搬送波を表す、前記Ｄ／Ａ変換器の、入力データ」である点、
　（３）「前記Ｄ／Ａ変換器の、入力データを切り換える手段」の具体的手段について、本願発明が、「前記Ｄ／Ａ変換器の入力データを切り換えるマルチプレクサー」であるのに対し、引用例１に記載された発明では、「前記Ｄ／Ａ変換器の入力データを切り換える各ＲＯＭのチップセレクト端子」である点、
　（４）変調器が、本願発明が直交振幅変調器であるのに対し、引用例１に記載された発明が「８相位相変調器」である点。
　　
　次に前記相違点（１）〜（４）について検討すると、
　
　相違点（１）について、
　位相を増加する手段として、「位相増加データを加算するアキュムレータ」を用いることは、本願出願前、当該技術分野において、周知慣用技術であり、引用例１に記載された発明において、位相を増加する手段として「カウンタ」の代わりに、「位相増加データを加算するアキュムレータ」を用いることは、当業者が容易になし得る程度のことである。
　
　相違点（２）、（４）について、
　搬送波の位相に加え振幅をも切り換える変調器は直交振幅変調器において周知（「データ通信ハンドブック」社団法人電子情報通信学会編、株式会社　オーム社発行、１９８９年１２月３０日第１版第３刷発行　５７〜５９頁、「３・３・２変復調」の項　、「ディジタルマイクロ波通信」監修桑原守二、株式会社　企画センター発行、昭和６０年３月１日　第２刷発行、６９〜７２頁「３．１．５直交振幅変調（ＱＡＭ）」の項　参照）であり、位相変調器も直交振幅変調器も共に搬送波の位相を制御するという変調器である点では類似の技術であり、また、位相変調の技術を直交振幅変調（ＱＡＭ）に適用しようとすることは当業者が通常に考えることであって、引用例１に記載された発明において、読み出し専用メモリ（ＲＯＭ）に、全ての搬送波の位相・振幅に対応する正弦波形テーブルを記録し、切り換え手段により、異なる位相・振幅データをＤ／Ａ変換器に出力し、引用例１に記載された発明において、「搬送波の位相に関係する搬送波を表すデータ」、「異なる搬送波の位相に関係する搬送波を表す、前記Ｄ／Ａ変換器の、入力データ」について、各々「位相・振幅データ」、「異なる位相・振幅の前記Ｄ／Ａ変換器の入力データ」と成し（相違点（２））、変調器を「直交振幅変調器」として構成すること（相違点（４））は、当業者が容易になし得る程度のことである。
　
　相違点（３）について、
　変調時に、変調器から出力される、全ての状態の搬送波を出力し、これらのひとつをマルチプレクサーで選択して出力する変調器は本願出願前より周知であるから（必要あれば、例えば、引用例１の第３図、原審引用例特開平４−２１７１４５号公報図６、特開平１−９１５０４号第３図　参照）、引用例１に記載された発明において、各読み出し専用メモリ（ＲＯＭ）から、全ての、搬送波の位相に関係する搬送波を表すデータを出力するようにし、引用例１に記載された発明において、「前記Ｄ／Ａ変換器の、入力データを切り換える手段」の具体的手段について、「前記Ｄ／Ａ変換器の入力データを切り換えるマルチプレクサー」として構成することは、当業者が容易になし得る程度ことである。
　
　４．したがって、本願発明は、引用例１に記載された発明及び周知慣用、周知技術に基いて当業者が容易に発明をすることができたものであるので、特許法第２９条第２項の規定により特許を受けることができない。
　よって結論のとおり審決する。